(57)【要約】      （修正有）【課題】より一層視認性が高い制御盤及び金型温度調節装置を提供する。【解決手段】背面から照射するバックライトからの光の透過率を制御し任意の数値、文字、動作状態を表示する液晶表示部２と、各種操作キーで構成される操作部３と、液晶表示部２及び操作部３を制御する制御部とを備えた制御盤及びこれを備えた金型温度調節装置であって、液晶表示部２は、暗色の背景色で構成され、複数のセグメントで実測値を表示する実測値表示領域と、複数のセグメントで設定値を表示する設定値表示領域と、複数のドットで文字や絵、グラフを表示するドット表示領域と、動作状態を表示する動作状態表示領域とを有し、バックライトは、複数の光源を１つのブロックとして、１セグメント、１ドット、１動作状態表示毎に１ブロックが配されており、液晶表示部２の各種表示領域で表示させる色を白色としたことを特徴とする。【選択図】図１
0003204696.tif 000002
【実用新案登録請求の範囲】
【請求項１】
背面から照射するバックライトからの光の透過率を制御し任意の数値、文字、動作状態を表示する液晶表示部と、各種操作キーで構成される操作部と、前記液晶表示部及び前記操作部を制御する制御部とを備えた制御盤であって、
前記液晶表示部は、暗色の背景色で構成され、
複数のセグメントで実測値を表示する実測値表示領域と、複数のセグメントで設定値を表示する設定値表示領域と、複数のドットで文字や絵、グラフを表示するドット表示領域と、動作状態を表示する動作状態表示領域とを有し、
前記バックライトは、複数の光源を１つのブロックとして、１セグメント、１ドット、１動作状態表示毎に前記１ブロックが配されており、
前記液晶表示部の前記各種表示領域で表示させる色を白色としたことを特徴とする制御盤。
【請求項２】
請求項１において、
前記各種表示領域の中に、赤色で表示させる領域を有していることを特徴とする制御盤。
【請求項３】
請求項１もしくは２において、
前記ドット表示領域は、多言語のメッセージや絵、グラフを表示し、該ドット表示領域に収まらない表示はスクロールして表示することを特徴とする制御盤。
【請求項４】
請求項１〜請求項３のいずれか１項において、
前記実測値表示領域は、前記設定値表示領域より大きく表示されるように設けられていることを特徴とする制御盤。
【請求項５】
請求項１〜請求項４のいずれか１項において、
前記液晶表示部は、中央部位より外した位置に設けられていることを特徴とする制御盤。
【請求項６】
請求項１〜請求項５のいずれか１項において、
略方形状からなり、その四方がフレームで囲われており、
該フレームの上辺部もしくは下辺部に指先が引っ掛けられる凹部が設けられていることを特徴とする制御盤。
【請求項７】
請求項１〜請求項６のいずれか１項に記載の制御盤を備えた金型温度調節装置。
【考案の詳細な説明】
【技術分野】
【０００１】
本考案は、制御盤及びこれを備えた金型温度調節装置に関する。
【背景技術】
【０００２】
従来より、液晶表示部と操作部とを備えた電気機器等の各種装置において、視認性の向上を図ったものが多数提案されている。
例えば下記特許文献１には、装置の状態が変化した時に、液晶表示部のバックライトの色の輝度を変化させ、視覚的に判別しやすい状態に変化させる画像形成装置の表示装置が開示されている。また下記特許文献２には、ＲＧＢの発光素子を光源とするバックライトを備え、該バックライトは洗濯・すすぎ・脱水・乾燥の各工程毎に液晶表示パネルに照射する光を異なる色にする洗濯機の操作表示装置が開示されている。
【先行技術文献】
【特許文献】
【０００３】
【特許文献１】特開２００２−０３１９８７号公報
【特許文献２】特開２０１３−０９４２１８号公報
【考案の概要】
【考案が解決しようとする課題】
【０００４】
近年ではこのような電気機器等の各種装置においても、ユニバーサルデザインの推進が求められており、一見すれば装置の動作状態や実測値等が明確にわかる態様のものが求められる。
上記特許文献１は、プリンタ、ＦＡＸ等画像形成装置が持つ各種モードにおける処理過程の進捗状況に応じて表示態様が変化する細かい制御がなされるものであるが、色弱者に対応できるとはいえない構成であった。また上記特許文献２では、バックライトの光源からの色を洗濯の各工程毎に変えることにより使用者が離れた位置からでも運転内容を色で判別することができるが、これもやはり色弱者に対応できるとはいえない構成であった。
【０００５】
本考案は、上記の点を鑑みて提案されたものであり、その目的は、より一層視認性が高い制御盤及び金型温度調節装置を提案することにある。
【課題を解決するための手段】
【０００６】
前記目的を達成するために、本考案に係る制御盤は、背面から照射するバックライトからの光の透過率を制御し任意の数値、文字、動作状態を表示する液晶表示部と、各種操作キーで構成される操作部と、前記液晶表示部及び前記操作部を制御する制御部とを備えた制御盤であって、前記液晶表示部は、暗色の背景色で構成され、複数のセグメントで実測値を表示する実測値表示領域と、複数のセグメントで設定値を表示する設定値表示領域と、複数のドットで文字や絵、グラフを表示するドット表示領域と、動作状態を表示する動作状態表示領域とを有し、前記バックライトは、複数の光源を１つのブロックとして、１セグメント、１ドット、１動作状態表示毎に前記１ブロックが配されており、前記液晶表示部の前記各種表示領域で表示させる色を白色としたことを特徴とする。
【０００７】
本考案において、前記各種表示領域の中に、赤色で表示させる領域を有しているようにしてもよい。
また本考案において、前記ドット表示領域は、多言語のメッセージや絵、グラフを表示し、該ドット表示領域に収まらない表示はスクロールして表示するものとしてもよい。
さらに本考案において、前記実測値表示領域は、前記設定値表示領域より大きく表示されるように設けられているものとしてもよい。
そして本考案において、前記液晶表示部は、中央部位より外した位置に設けられているものとしてもよい。
また本考案において、略方形状からなり、その四方がフレームで囲われており、該フレームの上辺部もしくは下辺部に指先が引っ掛けられる凹部が設けられているものとしてよい。
本考案に係る金型温度調節装置は、上記制御盤を備えたものとすることができる。
【考案の効果】
【０００８】
本考案に係る制御盤及びこれを備えた金型温度調節装置は、上述のような構成としたことで、視認性の高いものとすることができる。
【図面の簡単な説明】
【０００９】
【図１】本考案の一実施形態に係る制御盤の一例を模式的に示す概略正面図である。
【図２】同制御盤のブロック図の一例である。
【図３】同制御盤の液晶表示部を説明するための図であり、（ａ）、（ｂ）はそれぞれ表示の一例を示している。
【図４】同制御盤を備えた金型温度調節装置の一例を模式的に示す概略斜視図である。
【考案を実施するための形態】
【００１０】
以下に本考案の実施形態について、図面に基づいて説明をする。以下では、本考案の制御盤を金型温度調節装置に適用した例について説明する。図１〜図４は、本実施形態に係る制御盤１及びこれを備えた金型温度調節装置１００を説明するための図であり、一部の図では、他図に付している詳細な符号の一部を省略している。なお、以下の実施形態では、金型温度調節装置の制御盤が設けられた面に対面した状態を基準として、手前側を前方、その逆側を後方とし、また、その状態を基準として上下方向等の方向を説明する。
【００１１】
本実施形態に係る制御盤１は、背面から照射するバックライト５からの光の透過率を制御し任意の数値、文字、動作状態を表示する液晶表示部２と、各種操作キー３ａ〜３ｆで構成される操作部３と、液晶表示部２及び操作部３を制御する制御部１０とを備えた制御盤である。液晶表示部２は、暗色の背景色で構成され、複数のセグメント２１で実測値を表示する実測値表示領域２ａと、複数のセグメント２１で設定値を表示する設定値表示領域２ｂと、複数のドット２３で文字や絵、グラフを表示するドット表示領域２ｃと、動作状況を表示する動作状態表示領域２ｄとを有し、バックライト５は、複数の光源を１つのブロックとして、１セグメント（２１）、１ドット（２３）、１動作状態表示（２４）毎に１ブロックが配されており、液晶表示部２の前記各種表示領域２ａ〜２ｄで表示させる色を白色している。以下、詳しく説明する。
【００１２】
制御盤１は、図１に示すように略方形状からなり、その四方は制御盤１を補強するために合成樹脂材料などからなるフレーム４０で囲われている。図例の制御盤１は、その上方半分を液晶表示部２を有したモニター部２０とし、下方半分を操作部３を有した設定部３０としている。モニター部２０と設定部３０の前面は、これらを保護するためのシート材（不図示）が設けられている。制御盤１は、金型温度調節装置１００の前面に設置されており、この前面は、図４の２点鎖線で示すように前面の下端部を支点として前方向（図４・ｄ方向）に開くように構成されている。制御盤１が設置されている前面の上方半分は若干斜めに傾斜し、使用者が金型温度調節装置１００の前面に対面して立った時に液晶表示部２の表示内容が見やすく、操作部３での操作がしやすい設計になっている。制御盤１に設けられた制御部１０は、ＣＰＵ等の制御回路やメモリ等によって構成され、各種動作プログラム等を記憶する記憶部（不図示）等を備えている。金型温度調節装置１００は、金型に設けられた媒体流通路に高温媒体を循環供給する高温媒体供給部（不図示）と、媒体流通路に低温媒体を循環供給する低温媒体供給部（不図示）とを備え、プラスチック製品等を成型する金型を加熱もしくは冷却して金型の温度を設定値（設定温度）に調節制御する装置である。よって、この制御部１０は、図２に示すように操作部３での操作信号を受信し、液晶表示部２を制御する他、機器６を制御して、金型を加熱もしくは冷却して金型の温度が設定値（設定温度）になるように調節制御を行っている。
【００１３】
制御盤１を囲うフレーム４０の上辺部もしくは下辺部には、指先が引っ掛けられる凹部４が設けられている。図例の凹部４は、フレーム４０の上辺部の半分以上の領域を占める寸法を有し下向きに開口して凹所を形成した例を示している。フレーム４０の下辺部に凹部が設けられた場合の図示を省略しているが、下辺部に設けられる場合も上辺部の場合と同様に形成することができる。凹部４は、凹部４と液晶表示部２の上面との間に指先を差し入れて把持できる空間が設けられるように形成されている。この凹部４は、金型温度調節装置１００の前面を開ける際の把持部として機能を有するとともに、金型温度調節装置１００内に空気を取り込む流入口（通気口）としての機能も有する。これにより、金型温度調節装置１００のメンテナンス時等、前面を開ける際に開けやすく、また凹部４とすることで金型温度調節装置１００の前面に出っ張りがないものとすることができる。よって、外観上見栄えがよく、引っ掛かりがないので埃等のゴミも溜まりにくいものとすることができる。また凹部４が空気を取り込む流入口となって、発熱する電子部品を備えた制御盤１を冷やすことができ、発熱による電子部品の故障を防ぐことができる。凹部４を下辺部に設けた場合は、制御盤１を下方からより一層効率よく冷却することができる。さらに凹部４は金型温度調節装置１００を移動させる際の把持部として使用してもよく、この場合は、金型温度調節装置１００を移動させやすくするともに、凹部４があるので、移動時に液晶表示部２の上面を押してしまうことを抑制できる。
なお、凹部４の寸法や形状等は図例に限定されず、例えば上向きに開口して形成された凹部４としてもよい。
【００１４】
液晶表示部２は、制御盤１全体でみたときには、中央部位より外した位置に設けられている。具体的には液晶表示部２は制御盤１の上方半分に設けられたモニター部２０の右下の位置に設けられている。液晶表示部をその視認性を重視して、制御盤の中央部位に液晶表示部を設置すると、金型温度調節装置を移動させる際に、液晶表示部がある中央部位を押してしまい、液晶表示部が変形して破損してしまうおそれがある。しかし、このように液晶表示部２の設置位置を中央部位より外した位置に設置することで、金型温度調節装置１００を移動させるときに液晶表示部２の上面を押してしまったとしても、液晶表示部２を中央部位に設置した場合と比べて、液晶表示部２の変形による破損を防止することができる。
【００１５】
液晶表示部２は、暗色の背景色で構成されている。図例では液晶表示部２の黒地の背景色とした例を示しているが、黒地に限定されず、黒に近い濃灰色としてもよいし濃紺色、濃紫色、濃緑色等としてもよい。要は白色の文字等とのコントラストが明確になる暗色を背景色とすればよい。また液晶表示部２の黒色の背景色を際立たせるために、モニター部２０や設定部３０の背景色は、黒より薄い灰色としてもよい。液晶表示部２は、表示させる内容によって複数の表示領域を有しており、図例のものは、複数のセグメント２１，２１・・・で実測値を表示する実測値表示領域２ａと、複数のセグメント２１，２１・・・で設定値を表示する設定値表示領域２ｂと、複数のドット２３，２３・・・で文字や絵、グラフを表示するドット表示領域２ｃと、動作状況を表示する動作状態表示２４，２４・・・を有した動作状態表示領域２ｄとを備えている。液晶表示部２の各種表示領域２ａ〜２ｄは、表示させる色を白色とし、本実施形態では、各種表示領域２ａ〜２ｄの中に、赤色で表示させる領域を有している。液晶表示部２の液晶表示の構成は公知の方式を採用でき、例えば駆動方式としては、単純マトリックス駆動でもアクティブマトリックス駆動でもよく、上記各種表示領域２ａ〜２ｄによって採用する方式を変えてもよい。バックライト５は、複数の光源を１つのブロックとしてパッケージ化されており、図２に示すように１セグメント２１、１ドット２３、１動作状態表示２４毎に１ブロックのバックライト５が配されている。具体的には、例えば図３（ａ）に示す数字を表現する複数のセグメント２１，２１・・・に対しては、１セグメント毎に１ブロックとしてパッケージ化されたバックライト５が１セグメント２１の背面に配されている。また図３（ａ）に示す「Ｔ」と表現する複数のドット２３，２３・・・に対しては、１ドット毎に１ブロックとしてパッケージ化されたバックライト５が１ドット２３の背面に配されている。さらに図３（ｂ）に示す「ＲＵＮ」という１動作状態表示２４の背面に、１ブロックとしてパッケージ化されたバックライト５が配されている。ここでは、バックライト５として、赤、緑、青の３色の発光素子（ＬＥＤ）を用いた例を説明するが、光源としてなにを用いるかは特に限定するものではなく、少なくとも白色、さらには赤色を表現できる光源が好適に用いられる。これにより、液晶表示部２の各種表示領域２ａ〜２ｄで表示させる色を白色を基本としながら、各種表示領域２ａ〜２ｄの中に赤色で表示させる領域を有しているものとすることができる。また上述のようにバックライト５を複数の光源を１つのブロックとしてパッケージ化することにより、例えば１セグメント毎に複数の光源をモールディング場合と比べて簡易にバックライト５を設置することができる。
なお、ここで背景色とは、液晶表示部２において、セグメント２１、ドット２３、後記するカッティングシートの切り抜き部分等、液晶表示されない場所の色をいう。
【００１６】
操作部３は、誤操作を防止するため、設定部３０の領域を大きく２つに分けて設けられている。左側の領域３０ａには主に金型温度調節装置１００によって制御する金型の温度を設定する際に使うキーを横一列に配している。具体的には、金型の設定温度を設定する際に押す設定キー３ａと、その設定温度を上下に設定するカーソルキー３ｂ，３ｃと、設定操作をひとつ前の設定状態に戻すリターンキー３ｄとが設けられている。一方右側の領域３０ｂには、主に設定操作以外で使うキーを縦一列に配している。具体的には、金型温度調節装置１００の設定状態をリセットするリセットキー３ｅと、金型温度調節装置１００に電源を投入あるいは電源を遮断するＲＵＮ／ＳＴＯＰキー３ｆとが設けられている。操作部３の各種操作キーの構成、配列は図例に限定されるものではない。例えば、リターンキー３ｄを有していないものとしてもよいし、ＲＵＮ／ＳＴＯＰキー３ｆは別々に構成されているものとしてもよい。またこの操作部３の領域に動作状態、例えば金型温度調節装置１００の故障を文字や絵（ピクトグラム）等で示すものを組み合わせてもよい。さらに金型温度調節装置１００の設定状態をリセットするリセットキー３ｅを左側の領域３０ａに配しても良い。
【００１７】
次に図を参照しながら、さらに詳しく液晶表示部２について説明する。
なお、図１、図３、図４では数字を表現するセグメントの符号２１を１か所のみに付し、その他のセグメントへの符号は省略している。また図３（ａ）、（ｂ）では説明のため、各種表示領域２ａ〜２ｄを点線で示しているが、実際にこの点線が表示されるわけではない。また図１、図３、図４において、赤色に表示される領域は網掛けで示している。
【００１８】
実測値表示領域２ａは、金型温度調節装置１００が制御する金型の温度のまさにその時の実測値等を表示する領域である。よって、実測値の値は、金型温度調節装置１００が駆動している間、変動する場合もあるし、設定値に達した場合等、一定値に維持される場合もある。実測値表示領域２ａは、複数のセグメント２１，２１・・・、記号２２で実測値を白字で表現している。また本実施形態の実測値表示領域２ａでは、実測値の表示だけでなく、図３（ｂ）に示すように「ＡＬＭ」すなわちアラームや実測値を意味する「ＰＶ」を表示する動作状態表示２４の表示も行っており、「ＡＬＭ」を示す動作状態表示２４の背面に設けられるバックライト５を赤色で発光させ、図３（ｂ）に示すように赤色で表示させるようにしてもよい。図３（ａ）、図３（ｂ）に示す実測値表示領域２ａでは、３桁の整数と小数点、少数第一位までを表示することができ、図３（ａ）の例では実測値が「３８．８℃」、図３（ｂ）の例では実測値が「２３．０℃」であることを示している。
【００１９】
数字は、７セグメントで表現できるが、図例の実測値表示領域２ａは、アルファベットも表示できるように１１セグメントで構成されている。小数点も１セグメントとしてカウントしてもよく、この場合、小数点も１セグメントとして１２セグメントで構成されているとみることができる。ここでは摂氏温度を表現するため、記号２２「°」をカッティングシートで表現し、４セグメントで表現された「Ｃ」と並べることで「℃」を表現している。動作状態表示２４は、セグメントでなく、任意の文字形状に切り抜いたカッティングシートを用いて表現している。
図３（ｂ）に示す実測値表示領域２ａの右上の「ＡＬＭ」と表示されている箇所は、赤色としたバックライト５を透過させる。このとき、赤地の横長の長方形の中に黒字で「ＡＬＭ」と表示されるようにカッティングシートで「ＡＬＭ」の部分の光の透過を遮断して表現している。実測値表示領域２ａの左上の「ＰＶ」は金型温度調節装置１００に電源が投入されている場合は、同様の方法で白字の「ＰＶ」が表示される。なお、実測値表示領域２ａに表示させる数字等の表現方法はこれに限定されず、例えば「℃」表示部分はカッティングシートを用いて表現してもよい。
【００２０】
バックライト５は、上述のように赤、緑、青の３色の発光素子（ＬＥＤ）を１つのブロックとしてパッケージ化し、１セグメントに１ブロックが配されている。また実測値表示領域２ａの場合、「ＡＬＭ」、「ＰＶ」の動作状態表示２４は１動作状態表示毎に１ブロックのバックライト５が設置されている。白色を透過させたい場合は、赤、緑、青の３色の発光素子のすべての光源をオンとするように制御を行い、赤色を透過させたい場合は、赤の発光素子のみをオンとするよう制御される。
【００２１】
実測値表示領域２ａは、設定値表示領域２ｂより大きく表示されるように設けられている。これにより、金型の温度を調節する際に使用者にとって重要な情報である実測値の情報がわかりやすくなる。また図例のものは、他のどの表示領域よりも実測値表示領域２ａが大きく表示されており、実測値がわかりやすいものとなっている。
【００２２】
次に設定値表示領域２ｂについて説明する。設定値表示領域２ｂは、金型温度調節装置１００が制御する金型の設定温度等を表示する領域ある。設定値表示領域２ｂは、実測値表示領域２ａの真下位置に実測値表示領域２ａよりも小さく設けられており、その設定値表示領域２ｂの下には、ドット表示領域２ｃが設けられているため、設定値表示領域２ｂは、これらの中間位置に配されている。設定値表示領域２ｂは、複数のセグメント２１，２１・・・、記号２２で設定値を白字で表示している。また設定値表示領域２ｂには設定値を意味する「ＳＶ」を表示する動作状態表示２４の表示も行っている。この「ＳＶ」の表示により、この欄には設定値が表示されていると容易に認識することができる。図３（ａ）に示す設定値表示領域２ｂでは、実測値表示領域２ａと同様に３桁の整数と小数点、少数第一位までを表示することができ、図３（ａ）の例では設定値が「３８．８℃」、図３（ｂ）の例では「８０．０℃」であることを示している。数値、摂氏温度の表示方法、バックライト５の構成は実測値表示領域２ａと同様であるのでその説明は割愛する。
【００２３】
次にドット表示領域２ｃについて説明する。ドット表示領域２ｃは、複数のドット２３，２３・・・で文字や絵、グラフを表示する領域である。例えば、図１では「オンチョウ」図３（ｂ）では「センサー」とカタカナで表示されており、図３（ａ）では「ＴＥＭＰ．」と英字で表示されている。このように表示される文字は、英字、片仮名、ひらがなと表現でき、画数の少ない漢字も表現できる。よって、ドット表示領域２ｃには日本語だけでなく、英文、中文等、多言語のメッセージを表示することができる。図３等に示すドット表示領域２ｃでは、一文字を縦７ドット×横５ドットで表現しており、文字を判別しやすくするため、文字と文字の間は１ドットの間隔を空けて表示している。よってドット表示領域２ｃでは一度に５文字程度表示でき、メッセージがドット表示領域２ｃ内に収まらない場合は、スクロールにより右方向から左方向へ移動させることで、メッセージ全体を確認できるようになっている。例えば図１等に示す「オンチョウ」は温度調整中を略語で示しており、「オンチョウチュウ」と繰り返しメッセージをスクロールさせながら流すようにしてもよい。また図３（ａ）の「ＴＥＭＰ．」のメッセージはこの表示だけではメッセージの意味が認識できなくても、金型温度調節装置１００の取り扱い説明書等に、ドット表示領域２ｃに表示される文字とその意味合いの対応がわかる解説があれば、使用者は認識可能となる。ここでは「ＴＥＭＰ．」は「温度測定中」を意味するものとして説明する。さらに図３（ｂ）はエラーメッセージとして「センサーイジョウ」と繰り返しメッセージをスクロールさせながら流すようにしてもよいし、このようなエラーメッセージの場合のみ赤字で表示してもよい。以上のようにメッセージを流すドット表示領域２ｃを備えているので、金型温度調節装置１００の稼働状態を直接的に文章で認識することができる。さらにドット表示領域２ｃでは、文字によるメッセージの他、動作状態や部品交換時期到来等を示す絵（図形、ピクトグラム）、温度の変動等を示すグラフの表示も行うことができる。直感的に認識できる図形やピクトグラムの絵、グラフを表示することでも、金型温度調節装置１００の稼働状態を容易に認識することができる。
【００２４】
次に動作状態表示領域２ｄについて説明する。動作状態表示領域２ｄは、金型温度調節装置１００の動作状態を表示する領域であり、液晶表示部２の左上に配置されている。動作状態表示２４として、図例のものは、図３（ａ）及び図３（ｂ）に示すように「ＲＵＮ」、「ＨＥＡＴ」「ＣＯＯＬ」の３種の動作状態を表示できるように縦方向に３列に構成されている。「ＲＵＮ」は電源が投入され、金型温度調節装置１００が稼働状態であることを示す文字であり、上述と同様にカッティングシートを用いて表現している。「ＨＥＡＴ」は金型を加熱している状態、「ＣＯＯＬ」は金型を冷却している状態を示している。各種動作状態表示２４の文字は基本的に黒地の背景色に白色の文字が透過されるように構成されるが、赤色で表示させるようにしてもよい。例えばＲＵＮは白地に黒色文字、ＨＥＡＴは赤地に黒色文字、ＣＯＯＬは黒地に白色文字といったように表現すれば、動作状態表示領域２ｄ自体は比較的小さな領域であっても、背景色と文字のコントラストが明確であるので、視認性の高い表示となる。
なお、動作状態表示領域２ｄの文字や配列等は図例に限定されるものではない。
【００２５】
以上のように構成された液晶表示部２から、以下のことを認識できる。
例えば図１、図４に示された液晶表示部２の表示例は、同じ状態の液晶表示部２の表示例を示しており、この表示例から、金型温度の実測値が現在「２３．０℃」で、設定値は「５０．０℃」に設定され、温度調整中であることがわかり、金型を加熱するように稼働していると認識できる。図３（ａ）の液晶表示部２の表示例からは、金型温度の実測値が現在「３８．８℃」で、設定値は「３８．８℃」に設定され、温度測定中であることがわかり、金型を加熱するように稼働していると認識できる。図３（ｂ）の液晶表示部２の表示例からは、金型温度の実測値が現在「２３．０℃」で、設定値は「８０．０℃」に設定され、センサー異常があり、本来は金型を加熱しなければならないところ、金型を冷却するように稼働しており、アラームが点灯していると認識できる。
【００２６】
液晶表示部２による表示態様は図例に限定されるものではない。例えば上述の各種表示領域２ａ〜２ｄの他に、設定モードを表示させたり、金型を加熱・冷却する稼働率、エアの圧力、媒体の流量、華氏温度、現在時刻等を表示する領域を設けてもよい。このとき表示したい％等の各種単位は、動作状態表示２４と同様にカッティングシートを用いて表現することができる。またエラー情報や故障情報等を知らせる際には、バックライト５を点滅させる制御を行うようにしてもよい。さらにここでは実測値を「ＰＶ」、設定値を「ＳＶ」で表示しているが、これも特に限定されるものではない。
また色の表現も上述に限定されるものではないが、本実施形態では暗色の背景色に白字とすることで、背景色と文字のコントラストが従来のものと比べてより一層明確になり、ユニバーサルデザインに対応することができる。
【００２７】
以上、本実施形態に係る制御盤１、金型温度調節装置１００は、上述の構成に限定されるものではない。特に上述しているように液晶表示部２に表示されている内容については、図に示した例は一例に過ぎない。例えば数字を表現するセグメント２１，２１・・・は、図３に示すように１１セグメントに限定されず、７セグメントとしてもよく、またその表示できる桁数は制御盤１が適用される装置の実測される値によって設定される。また実測値表示領域２ａで表示される実測値は、その装置がなにを実測しているかによって値が異なり、ドット表示領域で表示するメッセージの内容も異ならせることができる。制御盤１が適用される装置も金型温度調節装置に限定されず、実測値と設定値とを同時に表示する液晶表示部を有した装置に広範囲に適用できることはいうまでもない。例えば乾燥装置、除湿装置、輸送機等、この他、エアコンディショナー等の空調設備、オーブンレンジ等の電気装置が挙げられる。また装置において制御盤１が設けられる位置は、図４に示すように装置の上方前面に限定されず、中央・下方いずれでもよく、前面全体が制御盤１であってもよい。さらには、前面に限定されず、装置の上面、側面、後面であってもよい。さらには図４の金型温度調節装置１００は下面に移動可能なキャスターがついている例を示しているが、床面に直置きするタイプであってもよい。さらに装置における制御盤１の構成比率も図４に示すように金型温度調節装置１００の前面の略半分を占める構成に限定されるものではない。
【符号の説明】
【００２８】
１                    制御盤
１００                金型温度調節装置
２                    液晶表示部
２ａ                  実測値表示領域
２ｂ                  設定値表示領域
２ｃ                  ドット表示領域
２ｄ                  動作状態表示領域
３                    操作部
１０                  制御部
２１                  セグメント
２３                  ドット
２４                  動作状態表示
【図１】
0003204696.tif 000003
【図２】
0003204696.tif 000004
【図３】
0003204696.tif 000005
【図４】
0003204696.tif 000006